(57)【要約】【課題】簡単な構造で各方向の相対変位を吸収し得る構造のエキスパンションジョイントを実現する。【解決手段】相対変位する二構造物（建物Ａ，Ｂ）間に跨るように可動板２を設置する構造のエキスパンションジョイントであって、一方の構造物に可動板の左右方向に沿う溝４を形成し、その溝に可動板の一端部の下面側に突設したピン３を係合せしめ、可動板の一端部を一方の構造物に対して左右方向にスライド可能かつ前後方向にスライド不能に連結するとともに、可動板の他端部を他方の構造物に対し全方向にスライド可能に支持し、かつ可動板の側方に位置して設けられている壁体（手摺壁７ａ，７ｂ）には可動板の左右方向へのスライドを許容するためのスリット８ａ、８ｂを形成する。ピンを左右方向に付勢することで可動板を定位置に復元させる復元手段（復元バネ５）を溝内に装着する。【選択図】　　　図１
2004044205.tif 000002
【特許請求の範囲】
【請求項１】
相対変位する二構造物間に跨るように可動板を設置する構造のエキスパンションジョイントであって、一方の構造物に可動板の左右方向に沿う溝を形成し、その溝に可動板の一端部の下面側に突設したピンを係合せしめることにより、可動板の一端部を一方の構造物に対して左右方向にスライド可能かつ前後方向にスライド不能に連結するとともに、可動板の他端部を他方の構造物に対し全方向にスライド可能に支持し、かつ可動板の側方に位置して設けられている壁体には可動板の左右方向へのスライドを許容するためのスリットを形成したことを特徴とするエキスパンションジョイント。
【請求項２】
ピンを左右方向に付勢することで可動板を定位置に復元させる復元手段を溝内に装着したことを特徴とする請求項１記載のエキスパンションジョイント。
【発明の詳細な説明】
【０００１】
【発明の属する技術分野】
本発明は、相対変位する二構造物間に跨るように可動板を設置する構造のエキスパンションジョイント、たとえば近接する高層建物の上層部間に設けられる渡り廊下に適用して好適なエキスパンションジョイントに関する。
【０００２】
【従来の技術】
周知のように、たとえば橋梁や道路等の一方向に長い構造物の途中には、地震時の振動や熱変形を吸収するためのエキスパンションジョイントを一定間隔ごとに設ける必要がある。また、高層集合住宅等の建物を近接して設ける場合等において、それら建物の上層部間に避難通路等として使用する渡り廊下を設けることがあるが、そのような渡り廊下は地震時における双方の建物の相対変位を吸収し得る状態で設ける必要がある。
【０００３】
【発明が解決しようとする課題】
ところで、橋梁や道路等の一方向に長い形態の構造物においては主としてその長さ方向の相対変位のみを吸収し得る構造のエキスパンションジョイントを採用すれば良いが、たとえば塔状の形態の高層建物のように地震時の振動が特定の方向にのみ生じるとは限らない場合には各方向の相対変位を吸収し得る構造のエキスパンションジョイントを採用する必要がある。
【０００４】
上記事情に鑑み、本発明は簡単な構造で各方向の相対変位を吸収し得る構造のエキスパンションジョイントを提供することを目的とする。
【０００５】
【課題を解決するための手段】
請求項１の発明は、相対変位する二構造物間に跨るように可動板を設置する構造のエキスパンションジョイントであって、一方の構造物に可動板の左右方向に沿う溝を形成して、その溝に可動板の一端部の下面側に突設したピンを係合せしめることにより、可動板の一端部を一方の構造物に対して左右方向にスライド可能かつ前後方向にスライド不能に連結するとともに、可動板の他端部を他方の構造物に対し全方向にスライド可能に支持し、かつ可動板の側方に位置して設けられている壁体には可動板の左右方向へのスライドを許容するためのスリットを形成したことを特徴とする。
【０００６】
請求項２の発明は、上記のエキスパンションジョイントにおいて、ピンを左右方向に付勢することで可動板を定位置に復元させる復元手段を溝内に装着したことを特徴とする。
【０００７】
【発明の実施の形態】
図１〜図６は本発明のエキスパンションジョイントを建物間に渡り廊下として設けた場合の実施形態を示すものである。図中、符号Ａ，Ｂは近接して設けられた建物であり、１ａ，１ｂはそれら建物Ａ，Ｂの外周部に設けられた廊下であり、それら廊下１ａ，１ｂに跨るように設置された可動板２が渡り廊下として機能するものとなっている。なお、建物Ａ，Ｂ間の間隔はそれらが最も接近するように変位した際にも接触することがないように設定され、かつ可動板２の形状や寸法は建物Ａ，Ｂどうしが最も離れるように変位しても脱落しないように設定されていることはいうまでもない。
【０００８】
可動板２としてはたとえば厚み４．５ｍｍのステンレス鋼板が好適に採用可能であり、その一端側の下面側にはピン３が突設されている。建物Ａの廊下１ａには横長の箱体が埋設されることで可動板の幅方向（左右方向）に沿う溝４が設けられており、その溝４内にピン３がスライド可能に装着されることにより、可動板２は廊下１ａに対して溝４の長さの範囲内で左右方向にスライド可能とされ、かつピン３と溝４との係合により可動板２の長さ方向（前後方向）のスライドおよび水平回転は拘束されるようになっている。溝４内にはピン３を付勢する復元バネ（復元手段）５が装着され、地震時等に可動板２が左右方向にスライドした場合にはその復元バネ５の付勢力により可動板２は自ずと元の位置に戻るようになっている。なお、復元バネ５はピン３の両側に設けても良い。また、復元バネ５としては図示しているようなコイルバネに代えて他の形態のバネも採用可能であるし、さらには復元バネ５に代えて空気圧や油圧により作動する適宜の復元手段を採用することも考えられる。
【０００９】
また、他方の建物Ｂの廊下１ｂには滑り板６（図示例では３枚）が取り付けられ、可動板２の他端部はそれら滑り板６上において任意の方向に自由に滑動可動な状態で支持されている。滑り板６としてはステンレス薄板や滑動性に優れる樹脂成形板等が好適に採用可能である。
【００１０】
また、それぞれの廊下１ａ、１ｂには手摺壁７ａ，７ｂが設けられており、それら手摺壁７ａ、７ｂの基部には、可動板２が左右方向にスライドした際に手摺壁７ａ、７ｂに干渉することを防止するためのスリット８ａ、８ｂが形成されていて、これらスリット８ａ、８ｂにより可動板２の左右方向のスライドが支障なく許容されるようになっている。
【００１１】
さらに、可動板２により構成される渡り廊下の両側には可動手摺９が設けられている。図４に示すように、可動手摺９は対のフレーム体１０，１１の内側にそれぞれ手摺子１２，１３を設け、一方のフレーム体１０の内側に他方のフレーム体１１をスライド可能に装着して双方のフレーム体１０，１１を手摺壁７ａ、７ｂあるいは建物Ａ，Ｂの壁面に対して自在蝶番１４により水平回動自在に取り付けられるもので、建物Ａ，Ｂどうしが相対変位した際には自由に伸縮しかつ回動して相対変位を吸収できるものとされている。なお、図４はフレーム体１０の両面側に手摺子１２を設けた場合の構成例、図５はフレーム体１０の片面側にのみ手摺子１２を設けた場合の構成例である。
【００１２】
上記構成のエキスパンションジョイントは、図６（ａ），（ｂ）に示すように可動板２の前後方向すなわち建物Ａ，Ｂどうしが離接する方向の相対変位を吸収できることはもとより、図６（ｃ），（ｄ）に示すように可動板２の左右方向すなわち建物Ａ，Ｂどうしが横方向にずれる場合の相対変位をも支障なく吸収できるものであり、当然に（ａ）または（ｂ）のパターンと（ｃ）または（ｄ）のパターンが同時に生じた場合にも支障なく対応できるものであり、いずれの場合も相対変位に対応して可動手摺９が自ずと伸縮しかつ回動することになる。
【００１３】
特に、建物Ａ，Ｂどうしが横方向にずれる（ｃ），（ｄ）のパターンの場合には、手摺壁７ａ，７ｂの基部に形成したスリット８ａ，８ｂから可動板２が手摺壁７ａ、７ｂの外側に突出し、したがって可動板２と手摺壁７ａ，７ｂとが干渉してそれらが損傷を受けるようなことを防止することができる。また、（ｄ）に示すパターンでは可動板２が廊下１ａに対して左右方向に一時的に変位するものの、復元バネ５の付勢力により自ずと速やかに元の位置に戻ることになる。
【００１４】
したがって上記構成のエキスパンションジョイントは、極めて簡単な構成で建物間の各方向の相対変位を確実に吸収できるものであり、特に高層建物の上層部間に渡り廊下として設けた場合には地震によってもその機能を損なうことがなく、極めて有効である。
【００１５】
以上、本発明を渡り廊下に適用した場合の実施形態を説明したが、本発明のエキスパンションジョイントは様々な構造物に広く適用できるものであるし、細部の具体的な構成も上記実施形態に限定されることなく適宜の変更が可能である。
【００１６】
【発明の効果】
請求項１の発明は、一方の構造物に溝を形成してその溝に可動板の一端部の下面側に突設したピンを係合せしめることにより可動板を左右方向にスライド可能とし、かつ可動板の側方の壁体にはスリットを形成したので、各方向の相対変位を支障なく吸収でき、かつ可動板が左右方向に変位した際に可動板と壁体とが干渉してしまうことを防止することができる。
【００１７】
請求項２の発明は、ピンを左右方向に付勢することで可動板を定位置に復元させる復元手段を溝内に装着したので、可動板を自ずと元の位置に復元させることができる。
【図面の簡単な説明】
【図１】本発明のエキスパンションジョイントを渡り廊下に適用した場合の実施形態を示す概要図である。
【図２】同、平面図である。
【図３】同、立面図である。
【図４】同、可動手摺の一例を示す図である。
【図５】同、可動手摺の他の例を示す図である。
【図６】同、可動板の変位パターンを示す図である。
【符号の説明】
Ａ，Ｂ　建物（構造物）
１ａ、１ｂ　廊下
２　可動板
３　ピン
４　溝
５　復元バネ（復元手段）
６　滑り板
７ａ，７ｂ　手摺壁（壁体）
８ａ、８ｂ　スリット
９　可動手摺
【図１】
2004044205.tif 000003
【図２】
2004044205.tif 000004
【図３】
2004044205.tif 000005
【図４】
2004044205.tif 000006
【図５】
2004044205.tif 000007
【図６】
2004044205.tif 000008